(57)【要約】【課題】カウンターの接合において、カウンターの側端部を補強し、割れの発生を抑制する。【解決手段】本体（１）の上面から側方に突出部（２）が延設された雄型補強桟（３）が、一方のカウンター（４）の裏面に、突出部の側端縁とカウンターの側端縁とを一致させて配設され、上部に段落ち部（５）が形成された雌型補強桟（６）が、他方のカウンター（７）の裏面に、段落ち部をカウンターの側端縁より外方に突出させて配設され、雌型補強桟の段落ち部上面に雄型補強桟の突出部下面が重ね合わされて接着されることにより、二枚のカウンターが接合される。【選択図】          図１
2004344426.tif 000002
【特許請求の範囲】
【請求項１】
本体上面から側方に突出部が延設された雄型補強桟が、一方のカウンターの裏面に、前記突出部の側端縁とカウンターの側端縁とを一致させて配設され、上部に段落ち部が形成された雌型補強桟が、他方のカウンターの裏面に、前記段落ち部をカウンターの側端縁より外方に突出させて配設され、雌型補強桟の段落ち部上面に雄型補強桟の突出部下面が重ね合わされて接着されることにより、二枚のカウンターが接合されることを特徴とするカウンターの接合構造。
【請求項２】
重合する雌型補強桟の段落ち部上面及び雄型補強桟の突出部下面に凹凸が設けられている請求項１記載のカウンターの接合構造。
【請求項３】
雄型補強桟及び雌型補強桟のカウンターとの重合面に凹凸が設けられ、雄型補強桟及び雌型補強桟がカウンターの裏面に接着されている請求項１又は２記載のカウンターの接合構造。
【請求項４】
カウンターが人造大理石製で、雄型補強桟及び雌型補強桟が金属製であり、カウンターと雄型補強桟及び雌型補強桟の接着に用いられる接着剤と、カウンターの接合に用いられる接着剤との種類が異なる請求項３記載のカウンターの接合構造。
【発明の詳細な説明】
【０００１】
【発明の属する技術分野】
この出願の発明は、カウンターの接合構造に関するものである。さらに詳しくは、この出願の発明は、カウンターの側端部を補強し、割れの発生を抑制することのできるカウンターの接合構造に関するものである。
【０００２】
【従来の技術】
調理台等に用いられる人造大理石等から形成されたカウンターをＬ字型等の形状に形成する際、２枚のカウンターを接着剤により接合することが行われている。この場合、２枚のカウンターの接合部にアングルを配置し、一方のカウンターの側端部をそのアングルの上に載置して接着することが考えられている。（たとえば、特許文献１参照）。
【０００３】
【特許文献１】
特開２００１−９５７００号公報
【０００４】
【発明が解決しようとする課題】
しかしながら、上記特許文献に記載されたカウンターの接合構造については、アングルが配設される方のカウンターの側端部はそのアングルにより補強されるものの、アングルに載置されるカウンターの側端部は全く補強されていないため、接着後、アングルに載置されるカウンターに割れが発生するという問題が指摘された。
【０００５】
この出願の発明は、このような事情に鑑みてなされたものであり、カウンターの側端部を補強し、割れの発生を抑制することのできるカウンターの接合構造を提供することを解決すべき課題としている。
【０００６】
【課題を解決するための手段】
この出願の発明は、上記の課題を解決するものとして、本体上面から側方に突出部が延設された雄型補強桟が、一方のカウンターの裏面に、前記突出部の側端縁とカウンターの側端縁とを一致させて配設され、上部に段落ち部が形成された雌型補強桟が、他方のカウンターの裏面に、前記段落ち部をカウンターの側端縁より外方に突出させて配設され、雌型補強桟の段落ち部上面に雄型補強桟の突出部下面が重ね合わされて接着されることにより、二枚のカウンターが接合されることを特徴とするカウンターの接合構造（請求項１）を提供する。
【０００７】
また、この出願の発明は、重合する雌型補強桟の段落ち部上面及び雄型補強桟の突出部下面に凹凸が設けられていること（請求項２）、雄型補強桟及び雌型補強桟のカウンターとの重合面に凹凸が設けられ、雄型補強桟及び雌型補強桟がカウンターの裏面に接着されていること（請求項３）、カウンターが人造大理石製で、雄型補強桟及び雌型補強桟が金属製であり、カウンターと雄型補強桟及び雌型補強桟の接着に用いられる接着剤と、カウンターの接合に用いられる接着剤との種類が異なること（請求項４）をそれぞれ一態様として提供する。
【０００８】
以下、図面に沿ってこの出願の発明のカウンターの接合構造についてさらに詳しく説明する。
【０００９】
【発明の実施の形態】
図１は、この出願の発明のカウンターの接合構造の一実施形態を示した要部分解断面図である。
【００１０】
この出願の発明のカウンターの接合構造では、たとえば図１に示したように、本体（１）の上面から側方に突出部（２）が延設された雄型補強桟（３）が、一方のカウンター（４）の裏面に、突出部（２）の側端縁とカウンター（４）の側端縁とを一致させて配設される。また、上部に段落ち部（５）が形成された雌型補強桟（６）が、他方のカウンター（７）の裏面に、段落ち部（５）をカウンター（７）の側端縁より外方に突出させて配設される。そして、雌型補強桟（６）の段落ち部（５）の上面に雄型補強桟（３）の突出部（２）の下面が重ね合わされて接着されることにより、二枚のカウンター（４）（７）が接合される。
【００１１】
このように、この出願の発明のカウンターの接合構造では、カウンター（７）の側端部が雌型補強桟（６）によって補強されているばかりでなく、雌型補強桟（６）に載置される側のカウンター（４）の側端部が雄型補強桟（３）の突出部（２）によって補強されている。このため、接着後にカウンター（４）に割れが生ずるのが抑制される。
【００１２】
雄型補強桟（３）及び雌型補強桟（６）は、カウンター（４）（７）の側端部を十分に補強するために、剛性のある金属製とするのが好ましい。金属製とすることにより放熱効果も得られ、特に調理台等の熱ひずみが加わりやすいカウンターに好適である。また、金属製とすることにより、図１に示したような中空の雄型補強桟（３）及び雌型補強桟（６）とすることができ、軽量化が図れる。さらに、カウンター（４）（７）の反り等の変形を抑制することができる。このような雄型補強桟（３）及び雌型補強桟（６）は、具体的には、アルミニウムの押出一体成形品とすることができる。
【００１３】
図２は、図１に示した実施形態の要部拡大断面図である。
【００１４】
図２に示したように、この出願の発明のカウンターの接合構造では、重合する雌型補強桟（６）の段落ち部（５）の上面及び雄型補強桟（３）の突出部（２）の下面に凹凸（８）を設けることができる。この凹凸（８）の存在により接着力が向上する。凹凸（８）は、たとえば溝状とすることができる。
【００１５】
また、この出願の発明のカウンターの接合構造では、図３に示したように、雄型補強桟（３）及び雌型補強桟（６）のカウンター（４）（７）との重合面にも凹凸（９）を設けることができ、雄型補強桟（３）及び雌型補強桟（６）をカウンター（４）（７）の裏面に接着することができる。凹凸（９）もまた凹凸（８）と同様に溝状とすることができる。
【００１６】
なお、接着に関しては、カウンター（４）（７）が人造大理石製で、雄型補強桟（３）及び雌型補強桟（６）が金属製である場合、カウンター（４）（７）と雄型補強桟（３）及び雌型補強桟（６）の接着に用いられる接着剤と、上述のとおりのカウンター（４）（７）の接合に用いられる接着剤とは、種類を相違させるのが好ましい。
【００１７】
カウンター（４）（７）と雄型補強桟（３）及び雌型補強桟（６）は、上記のとおり材質が異なるため、線膨張係数が異なる。したがって、カウンター（４）（７）と雄型補強桟（３）及び雌型補強桟（６）の接着に用いられる接着剤は、カウンター（４）（７）の膨張・収縮を吸収することのできるものを選択するのが好ましく、たとえば、硬化後にも弾性を有するシリコン系接着剤等が例示される。
【００１８】
一方、カウンター（４）（７）の接合においては、施工のばらつき等を考慮し、雄型補強桟（３）の突出部（２）と雌型補強桟（６）の段落ち部（５）との間に、通常、１ｍｍ程度のクリアランスが取られる。したがって、カウンター（４）（７）の接合に用いられる接着剤は、そのような雄型補強桟（３）の突出部（２）と雌型補強桟（６）の段落ち部（５）との間のクリアランスを埋めつつ両者を強固に、しかも、カウンター（４）（７）の接合は施工現場での作業となるため、１時間程度の短時間に接着させることのできるものを選択するのが好ましい。たとえば、硬化前には弾性を有するが、硬化後には弾性のなくなるアクリル系接着剤等が例示される。
【００１９】
このような理由から、カウンター（４）（７）が人造大理石製で、雄型補強桟（３）及び雌型補強桟（６）が金属製である場合、カウンター（４）（７）と雄型補強桟（３）及び雌型補強桟（６）の接着に用いられる接着剤と、カウンター（４）（７）の接合に用いられる接着剤とは、種類を相違させるのが好ましいのである。
【００２０】
その場合、凹凸（８）（９）の形状は、図３に示したように、接着に用いられる接着剤の種類に応じて適宜変えることができる。たとえば、雄型補強桟（３）及び雌型補強桟（６）のカウンター（４）（７）との重合面に設けられる凹凸（９）を、雌型補強桟（６）の段落ち部（５）の上面及び雄型補強桟（３）の突出部（２）の下面に設けられる凹凸（８）よりも大きめとすることができる。
【００２１】
もちろん、この出願の発明は、以上の実施形態によって限定されるものではない。雄型補強桟及び雌型補強桟の形状及び材質、接着剤の種類、そして、凹凸の形状等の細部については様々な態様が可能であることはいうまでもない。
【００２２】
【発明の効果】
以上詳しく説明したとおり、この出願の発明によって、カウンターの側端部が補強され、割れの発生が抑制される。
【図面の簡単な説明】
【図１】この出願の発明のカウンターの接合構造の一実施形態を示した要部分解断面図である。
【図２】図１に示した実施形態の具体的な構造を示した要部拡大断面図である。
【図３】図２に示した構造のさらに具体的な構造を示した要部拡大断面図である。
【符号の説明】
１    本体
２    突出部
３    雄型補強桟
４、７    カウンター
５    段落ち部
６    雌型補強桟
８、９    凹凸
【図１】
2004344426.tif 000003
【図２】
2004344426.tif 000004
【図３】
2004344426.tif 000005